(57)【要約】【課題】洗浄水の噴射により食器等の洗浄を行う食器洗い機において、複数個の扉体を自動的に連動して開放することで、使用時の煩わしさを解消し、使い勝手を向上する。【解決手段】連動リンク２５で上扉体１６と連動された下扉体１７にロック手段２９を解除する押しボタンスイッチ２８を設け、この押しボタンスイッチ２８の押圧操作によりロック手段２９が解除され、上扉体１６と下扉体１７とが自動的に連動して開放されるよう構成した。【選択図】図１
2004337633.tif 000002
【特許請求の範囲】
【請求項１】
食器洗い機本体と、前記食器洗い機本体内に設けた洗浄槽と、前記洗浄槽に設けた開口部を開閉する複数個の扉体と、前記複数個の扉体を連動する連動手段と、前記複数個の扉体を前記洗浄槽に閉成状態に固定するロック手段と、前記複数個の扉体の内の下扉体に設けて前記ロック手段を解除する操作手段と、前記扉体の閉成状態で前記下扉体を開放方向に付勢する付勢手段とを備え、前記操作手段は押しボタンを有し、前記押しボタンの押圧操作により前記ロック手段が解除されるよう構成した食器洗い機。
【請求項２】
ロック手段を下扉体に設け、洗浄槽に設けた係止部から解除できるよう構成した請求項１記載の食器洗い機。
【請求項３】
複数個の扉体を連動する連動手段は、前記扉体が開放する方向に弾性的に付勢された請求項１または２記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図３または図４に示すように構成していた。以下、その構成について説明する。
【０００３】
図３に示すように、扉体１は、扉軸２を中心にして、食器洗い機本体３の下部に開閉自在に取り付け、食器洗い機本体３の前面開口部を覆うよう構成し、上部に扉体１を開閉する際につかむための把手部４と、スイッチ５により解除されるロック手段６とを設け、閉成状態で固定できるよう構成している。
【０００４】
また、ロック手段６には、食器洗い機の運転動作の入力機能と連動し、扉体１が完全に閉成状態でない場合は運転しないよう構成し、運転途中に扉体１を開放された場合でも、洗浄水が食器洗い機の機外に噴出しないよう配慮されている。食器洗い機本体３は、内部に洗浄槽７を設けており、この洗浄槽７は、内部に食器かご８を配置している（例えば、特許文献１参照）。
【０００５】
食器洗い機の基本的な動作は、一般的によく知られているので、以下に簡単に述べると、使用者がスイッチ５によりロック手段６を解除し、その後、把手部４を持って扉体１を開放し、食器洗い機本体３内の洗浄槽７に配置された食器かご８に汚れた食器類をセットする。
【０００６】
つぎに、扉体１を閉め、ロック手段６を動作させて運転を開始すると、洗浄槽７の底部に配置されたヒータによって洗浄水を加熱しながら、洗浄ノズルから食器類１０に向かって噴射し、食器類の汚れを落とす洗浄行程を行う。その後、食器類をすすいだ後、乾かす乾燥行程を行って運転を終了する。
【０００７】
また、他の食器洗い機として、図４に示すようなものがある。このものは、食器洗い機本体９に設けた２個の扉体１０ａ、１０ｂを上下方向に各々回動して洗浄槽１１の開口部を開閉する構成であり、連動リンク１２によって、扉体１０ａ、１０ｂは連結されている。このため、扉体１０ａを持って開放すれば、同時に他方の扉体１０ｂも開放するようになっている。この食器洗い機も上述した基本動作を行う（例えば、特許文献２参照）。
【特許文献１】特開平９−２７６２０３号公報
【特許文献２】特開昭５０−２６３５６号公報
【発明の開示】
【発明が解決しようとする課題】
【０００８】
このような従来の構成で、図３に示す構成では、通常、ロック手段６の動作と扉体１を開くための把手部４が別々に設けられており、扉体１を開ける際には、スイッチ５によりロック手段６を解除し、把手部４をつかみ直す必要がある。また、扉体１は閉塞方向に付勢されているため、把手部４を開放終了までつかんで開けなければならなく、煩わしく使い勝手に劣るという問題を有していた。
【０００９】
また、近年、食器洗い機の設置性を向上するために、扉体を複数に分割したものはさらに煩わしく、また、図４に示すように、複数個の扉体１０ａ、１０ｂを連動リンク１２によって回動自在に連結した場合でも、扉体１０ａ、１０ｂの開放に関して、１枚扉と同様の問題を有していた。
【００１０】
本発明は上記従来の課題を解決するもので、複数個の扉体を自動的に連動して開放することで、使用時の煩わしさを解消し、使い勝手を向上することを目的としている。
【課題を解決するための手段】
【００１１】
本発明は上記目的を達成するために、食器洗い機本体と、前記食器洗い機本体内に設けた洗浄槽と、前記洗浄槽に設けた開口部を開閉する複数個の扉体と、前記複数個の扉体を連動する連動手段と、前記複数個の扉体を前記洗浄槽に閉成状態に固定するロック手段と、前記複数個の扉体の内の下扉体に設けて前記ロック手段を解除する操作手段と、前記扉体の閉成状態で前記下扉体を開放方向に付勢する付勢手段とを備え、前記操作手段は押しボタンを有し、前記押しボタンの押圧操作により前記ロック手段が解除されるよう構成したものである。
【００１２】
これにより、下扉体に設けた操作手段の押しボタンを押すだけで、複数個の扉体が自動的に連動リンクによって開放されるので、使用時の煩わしさを解消し、使い勝手のよい食器洗い機を提供することができる。
【発明の効果】
【００１３】
本発明の食器洗い機は、複数個の扉体を自動的に連動リンクによって開放することで、使用時の煩わしさを解消し、使い勝手のよい食器洗い機を実現することができる。
【発明を実施するための最良の形態】
【００１４】
第１の発明は、食器洗い機本体と、前記食器洗い機本体内に設けた洗浄槽と、前記洗浄槽に設けた開口部を開閉する複数個の扉体と、前記複数個の扉体を連動する連動手段と、前記複数個の扉体を前記洗浄槽に閉成状態に固定するロック手段と、前記複数個の扉体の内の下扉体に設けて前記ロック手段を解除する操作手段と、前記扉体の閉成状態で前記下扉体を開放方向に付勢する付勢手段とを備え、前記操作手段は押しボタンを有し、前記押しボタンの押圧操作により前記ロック手段が解除されるよう構成したことにより、下扉体に設けた操作手段の押しボタンを押すだけで、複数個の扉体が自動的に開放することができるので、使用時の煩わしさを解消でき、使い勝手のよい食器洗い機を提供することができる。
【００１５】
第２の発明は、上記第１の発明において、ロック手段を下扉体に設け、洗浄槽に設けた係止部から解除できるよう構成したことにより、ロックの保持および解除が簡単かつ確実に行える、使い勝手のよい食器洗い機を提供することができる。
【００１６】
第３の発明は、上記第１または第２の発明において、複数個の扉体を連動する連動手段は、前記扉体が開放する方向に弾性的に付勢される構成としたことにより、付勢するための付勢機構（たとえば、引っ張りコイルばね）を連動手段に設けるだけの簡単な構成で、押しボタンの押圧操作により前記ロック手段を解除できるので、使い勝手のよい食器洗い機を実現することができる。
【００１７】
以下、本発明の実施の形態について、図面を参照しながら説明する。
【００１８】
（実施の形態１）
図１および図２に示すように、食器洗い機本体１３は内部に洗浄槽１４を設け、この洗浄槽１４の開口部１５を上扉体（扉体）１６と下扉体（扉体）１７により開閉するよう構成している。上扉体１６に上支持部材１８を固定し、この上支持部材１８を上固定枢軸１９で基盤部材２０に回転自在に軸支している。また、下扉体１７に下支持部材２１を固定し、この下支持部材２１を下固定枢軸２２で基盤部材２０に回転自在に軸支している。
【００１９】
また、基盤部材２０の下部には、洗浄槽１４の外壁面に溶接したボルト２３が入る貫通穴を設け、ナット２４によって固定されている。
【００２０】
また、上支持部材１８と下支持部材２１を連動する連動手段として、連動リンク２５を設けており、それぞれ上リンク枢軸２６、下リンク枢軸２７で上支持部材１８と下支持部材２１に軸支している。また、基盤部材２０および上支持部材１８、下支持部材２１は洗浄槽１４の左右両側に設けている。
【００２１】
下扉体１７には押しボタンスイッチ２８と、下扉体１７を閉塞状態に固定するロック手段２９を設け、押しボタンスイッチ２８と連動して、洗浄槽１４に設けた係止部３０からロック手段２９を解除できるようにしている。また、ロック手段２９には、食器洗い機の運転動作の入力機能を連動し、下扉体１７が完全に閉成状態でない場合は運転しないよう構成している。また、下扉体１７および上扉体１６と開口部１５のシール、および下扉体１７、上扉体１６間のシールには弾性体を有するシール部材（図示せず）を設置している。
【００２２】
また、連動リンク２５には、第１の保持部３１と第２の保持部３２を設けており、第１の保持部３１は基盤部材２０と第１のスプリング３３（引っ張りコイルばね）で連結し、扉体の閉成状態では開放側に力を付加し、開成状態では閉塞方向に力を付加するよう構成している。また、第２の保持部３２は上支持部材１８と第２のスプリング３４（引っ張りコイルばね）で連結し、上扉体１６を常に開放する方向に力を付加する構成としている。第１のスプリング３３と第２のスプリング３４とで、上扉体１６と下扉体１７を連動して自動的に閉状態から開放状態まで開放する機構を構成している。
【００２３】
また、基盤部材２０には、上支持部材１８と摺動する摺動部材３５を軸支し、摺動部材３５は第３のスプリング３６によって、上支持部材１８との摺動面に負荷を加えている。
【００２４】
また、上支持部材１８は樹脂からなり、上扉体１６の支持部とは別に、閉時当接部３７と開時当接部３８を設け、上扉体１６の閉成状態と開放途中において、摺動部材３５と当接するよう構成している。また、第２のスプリング３４を保持するばね保持部３９を上固定枢軸１９と上リンク枢軸２６との間に設けている。
【００２５】
また、上リンク枢軸２６を保持する枢軸保持部４０は、上扉体１６が閉成状態での上リンク枢軸２６の位置より少なくとも上方向に移動可能な略連動リンク２５方向の長穴形状とし、リンク機構のばらつきを吸収して確実に閉塞するよう構成している。
【００２６】
上記の構成において作用を説明すると、上扉体１６と下扉体１７は、それぞれ上支持部材１８と下支持部材２１によって、上下に開閉する構成であり、上固定枢軸１９の回動によって上扉体１６は上方に回動し、下固定枢軸２２の回動によって下扉体１７は下方に回動する。
【００２７】
この際、第１のスプリング３３と第２のスプリング３４とで開放側に付勢された連動リンク２５によって、下扉体１７に設けた押しボタンスイッチ２８を作動することで、ロック手段２９が解除され、上扉体１６と下扉体１７が連動して回動するため、使用者は、扉体をつかみ開放操作をする必要がなく、上扉体１６と下扉体１７は閉塞状態から開放状態まで自動的に開放することができる。
【００２８】
また、第１のスプリング３３によって、扉体の開放動作途中に閉塞方向に力が付勢されることで、扉体が開放する際の衝撃力を緩和することができる。
【００２９】
また、上支持部材１８に設けた閉時当接部３７が、第３のスプリング３６に付勢された摺動部材３５によって閉塞側に力を負荷することで、扉体の開放速度を遅らせ、使用者が運転途中に押しボタンスイッチ２８を動作させた場合でも、解放直後の上扉体１６と下扉体１７の開放速度を弱めることができ、ロック手段２９の解除と同時に噴射された洗浄水が、食器洗い機本体１３の機外に噴出されるのを防止することができる。
【００３０】
また、開時当接部３８と、第３のスプリング３６に付勢された摺動部材３５とで生じる摩擦力によって、扉体の開放速度を減速させ、開放する際の衝撃力を緩和するとともに、下扉体１７の衝撃によるリバウンドを防止することができる。
【００３１】
また、摺動部材３５は、上支持部材１８および下支持部材２１を設置した基盤部材２０に設置することで、それぞれの設置位置の誤差が加工誤差のみとなり、上扉体１６と下扉体１７の開放速度および開放時の衝撃力のばらつきをきわめて小さくできる等、組立後の扉体の動作を安定させることができる。
【００３２】
なお、洗浄槽１４を樹脂化し、基盤部材２０を一体的に形成しても同様の作用効果が得られ、より安価に食器洗い機を提供できる。
【００３３】
また、基盤部材２０をボルト・ナット方式としているため、上支持部材１８、下支持部材２１、摺動部材３５および各スプリングを取り付けた状態の基盤部材２０を、保守点検の際に容易に取り外しができ、メンテナンス後の位置決めも容易である。
【００３４】
また、上扉体１６の閉成状態近傍では、第２のスプリング３４によって、上固定枢軸１９とばね支持部３９とに上扉体１６を閉方向に作用させるモーメント力が生じることにより、上リンク枢軸２６の位置は長穴形状である枢軸保持部４０において上扉体１６を常に閉塞方向に位置させることが可能となっている。この構成により、リンク構成の寸法ばらつきによる上扉体１６と下扉体１７の連動不良をなくすことができ、上扉体１６と下扉体１７の開閉操作をスムースに行うとともに、安定したシール性を確保することができる。
【００３５】
なお、本実施の形態では、第１のスプリング３３と第２のスプリング３４とで、蓋体を自動的に開放する機構を構成しているが、リンク機構を構成する上支持部材１８、下支持部材２１、連動リンク２５のいずれかをモータやソレノイドにより駆動してもよく、また、連動リンク２５をワイヤーで構成し、モータで巻き上げるようにしてもよく、いずれも同様の作用、効果を得ることができる。
【産業上の利用可能性】
【００３６】
以上のように、本発明にかかる食器洗い機は、複数個の扉体を自動的に連動して開放することで、使用時の煩わしさを解消し、使い勝手を向上させることが可能となるので、食器等を収納して洗浄水の噴射により洗浄を行う食器洗い機等として有用である。
【図面の簡単な説明】
【００３７】
【図１】本発明の実施の形態１の食器洗い機の扉体の閉成状態の断面図
【図２】同食器洗い機の扉体の開成状態の断面図
【図３】従来の食器洗い機の一例の断面図
【図４】従来の食器洗い機の他の例の一部切欠した側面図
【符号の説明】
【００３８】
１３  食器洗い機本体
１４  洗浄槽
１５  開口部
１６  上扉体（扉体）
１７  下扉体（扉体）
２５  連動リンク（連動手段）
２８  押しボタンスイッチ（操作手段）
２９  ロック手段
３０  係止部
３３  第１のスプリング（付勢手段）
【図１】
2004337633.tif 000003
【図２】
2004337633.tif 000004
【図３】
2004337633.tif 000005
【図４】
2004337633.tif 000006